(57)【要約】【解決手段】平坦な表示画面で移動始点８と移動終点９とを結ぶ移動経路に沿って複数の表示形態７が順次移動する際に各表示形態７の形状と面積とのうち少なくとも一方のものを変更することにより表示画面に直交する奥行き方向の遠近感を変更する。各表示形態７で移動経路に沿う方向の寸法ＷＸと移動経路に対し直交する方向の寸法ＷＹとのうち少なくとも一方のものを変更して形状を変更する。各表示形態７は奥行き方向で最も遠く見える表示形態７Ｆと最も近く見える表示形態７Ｎとを含む。各表示形態７で先行する表示形態７とその次に続く後続表示形態７とを互いに重ねた場合、先行表示形態７と後続表示形態７とのうち、一方の表示形態７の内側に他方の表示形態７の全部または一部を含む。移動始点８と移動終点９とは、互いに離間しているか、または、互いに一致している。【効果】電光表示装置において回転灯等の機能を持たせて視覚効果を高める。【選択図】図４
2005338503.tif 000002
【特許請求の範囲】
【請求項１】
複数の表示形態を電光表示する表示画面を有する表示部と、この表示部の表示画面に複数の表示形態を表示させる表示駆動部と、この表示駆動部を駆動制御する制御部とを備えた電光表示装置において、前記制御部は、移動始点と移動終点とを結ぶ移動経路に沿って複数の表示形態が順次移動する際にその各表示形態の形状と面積とのうち少なくとも一方のものを変更することにより表示画面に直交する奥行き方向の遠近感を変更するように、前記表示駆動部を駆動制御することを特徴とする電光表示装置。
【請求項２】
前記表示部の表示画面は、前記表示駆動部により点滅する複数の表示ライトを縦横に並設したものであって、その表示ライトを点滅させて各表示形態を表示するものであることを特徴とする請求項１に記載の電光表示装置。
【請求項３】
前記表示部の表示画面は、外周に周縁部を有し、各表示ライトを互いに結ぶ想定面に沿うように平坦状に設けられていることを特徴とする請求項２に記載の電光表示装置。
【請求項４】
前記表示部の表示画面に表示された各表示形態において移動経路に沿う方向の寸法と移動経路に対し直交する方向の寸法とのうち少なくとも一方のものを変更して形状を変更することを特徴とする請求項１または請求項２または請求項３に記載の電光表示装置。
【請求項５】
前記各表示形態は、表示画面に直交する奥行き方向で最も遠く見える表示形態と最も近く見える表示形態とを含むことを特徴とする請求項１から請求項４のうちいずれかの請求項に記載の電光表示装置。
【請求項６】
前記各表示形態において移動経路上の移動方向で先行する表示形態とその先行表示形態の次に続く後続表示形態とを互いに重ねた場合、その先行表示形態と後続表示形態とのうち、一方の表示形態の内側に他方の表示形態の全部または一部を含むことを特徴とする請求項１から請求項５のうちいずれかの請求項に記載の電光表示装置。
【請求項７】
前記移動経路の移動始点と移動終点とは、互いに離間しているか、または、互いに一致していることを特徴とする請求項１から請求項６のうちいずれかの請求項に記載の電光表示装置。
【発明の詳細な説明】
【技術分野】
【０００１】
本発明は絵や文字などを表示する電光掲示板などの電光表示装置に関するものである。
【背景技術】
【０００２】
従来の電光掲示板では、絵や文字などの表示形態が遠近感のない状態で表示画面の一端側から他端側へ順次移動する。
【発明の開示】
【発明が解決しようとする課題】
【０００３】
そのため、各表示形態の表現範囲が制限されるため、電光掲示板を見る者に与える視覚効果が低くなっていた。
この発明は、電光表示装置において視覚効果を高めることを目的としている。
【課題を解決するための手段】
【０００４】
後記実施形態の図面（図１〜１２）の符号を援用して本発明を説明する。
請求項１の発明にかかる電光表示装置は下記のように構成されている。
この電光表示装置は、複数の表示形態（７）を電光表示する表示画面（４）を有する表示部（１）と、この表示部（１）の表示画面（４）に複数の表示形態（７）を表示させる表示駆動部（５）と、この表示駆動部（５）を駆動制御する制御部（６）とを備えている。前記制御部（６）は、移動始点（８）と移動終点（９）とを結ぶ移動経路（１０）に沿って複数の表示形態（７）が例えば移動始点（８）側から移動終点（９）側へ向けて順次移動する際にその各表示形態（７）の形状と面積とのうち少なくとも一方のものを変更することにより表示画面（４）に直交する奥行き方向（Ｚ）の遠近感を変更するように、前記表示駆動部（５）を駆動制御する。例えば請求項４の発明のように形状を変更すると、通常は面積（表示形態７の内側領域の面積）も変更されるが、その面積は同一の場合もある。表示形態７が相似形状の場合、面積は変更されても、形状は変更されない。直線状の移動経路（１０）や、楕円などの曲線状の移動経路（１０）を採用することができる。各表示形態（７）は、移動経路（１０）における移動途中で、移動始点（８）側から移動終点（９）側へ向けて順次移動するばかりでなく、逆に移動終点（９）側から移動始点（８）側へ向けて戻るようにしてもよい。各表示形態（７）間に空白の表示画面（４）が存在していてもよい。
【０００５】
請求項１の発明では、表示画面（４）で各表示形態（７）が移動経路（１０）に沿って順次移動する際に奥行き方向（Ｚ）の遠近感を持たせて電光表示されるので、電光掲示板などの電光表示装置で立体感を持たせてそれを見る者に与える視覚効果を高めることができる。例えば、電光表示装置を回転灯として機能させることができる。
【０００６】
請求項１の発明を前提とする請求項２の発明において、前記表示部（１）の表示画面（４）は、前記表示駆動部（５）により点滅する複数の表示ライト（２）を縦横に並設したものであって、その表示ライト（２）を点滅させて各表示形態（７）を表示するものである。請求項２の発明では、簡単な構造の表示部（１）により遠近感を有する各表示形態（７）を電光表示することができる。
【０００７】
請求項２の発明を前提とする請求項３の発明において、前記表示部（１）の表示画面（４）は、外周に周縁部（４ａ）を有し、各表示ライト（２）を互いに結ぶ想定面（Ｐ）に沿うように平坦状に設けられている。請求項３の発明では、平坦な表示画面（４）を有する電光表示装置において例えば回転灯として機能させることができる。
【０００８】
請求項１または請求項２または請求項３の発明を前提とする請求項４の発明では、前記表示部（１）の表示画面（４）に表示された各表示形態（７）において移動経路（１０）に沿う方向（Ｘ）の寸法（移動経路１０に対し直交するとともに表示形態７に交差する各想定線Ｑのうち最大間隔を有する両想定線Ｑ間の幅ＷＸ）と移動経路（１０）に対し直交する方向（Ｙ）の寸法（移動経路１０に対し平行であるとともに表示形態７に交差する各想定線Ｒのうち最大間隔を有する両想定線Ｒ間の幅ＷＹ）とのうち少なくとも一方のものを変更して形状を変更する。請求項４の発明では、各表示形態（７）において形状の変更を容易に行うことができる。
【０００９】
請求項１から請求項４のうちいずれかの請求項の発明を前提とする請求項５の発明において、前記各表示形態（７）は、表示画面（４）に直交する奥行き方向（Ｚ）で最も遠く見える表示形態（最遠表示形態７Ｆ）と最も近く見える表示形態（最近表示形態７Ｎ）とを含む。この最遠表示形態（７Ｆ）と最近表示形態（７Ｎ）とは移動経路（１０）で少なくとも一回だけ表示されればよく、その表示回数や表示順序は限定されない。例えば、移動始点（８）と移動終点（９）とのうち少なくとも一方で最遠表示形態（７Ｆ）が表示され、その移動始点（８）と移動終点（９）との間で最近表示形態（７Ｎ）が一回だけ表示される。すなわち、各表示形態（７）は、移動始点（８）側から移動終点（９）側へ向うに従い次第に接近して最大接近状態になり、その後は最大接近状態から次第に離間する。請求項３の発明では、各表示形態（７）における奥行き方向（Ｚ）の遠近感を高めることができる。
【００１０】
請求項１から請求項５のうちいずれかの請求項の発明を前提とする請求項６の発明では、前記各表示形態（７）において移動経路（１０）上の移動方向（Ｘ）で先行する表示形態（７）とその先行表示形態（７）の次に続く後続表示形態（７）とを互いに重ねた場合、その先行表示形態（７）と後続表示形態（７）とのうち、一方の表示形態（７）の内側に他方の表示形態（７）の全部または一部を含む。このように先行表示形態（７）と後続表示形態（７）とを互いに交差させることは、全部のものでなく一部のものについてのみ行ってもよい。ここに「一方の表示形態（７）の内側に他方の表示形態（７）の一部を含む」とは、一方の表示形態（７）の外端縁が他方の表示形態（７）の外端縁に接触するように交差することも含む。請求項６の発明では、各表示形態（７）の連続性を高めることができる。
【００１１】
請求項１から請求項６のうちいずれかの請求項の発明を前提とする請求項７の発明において、前記移動経路（１０）の移動始点（８）と移動終点（９）とは、互いに離間しているか、または、互いに一致している。移動始点（８）と移動終点（９）とが互いに離間している場合には、表示形態（７）が移動終点（９）から移動始点（８）に戻る。移動始点（８）と移動終点（９）とが互いに一致している場合には、表示形態（７）が移動終点（９）と移動始点（８）とで互いに連続する。請求項７の発明では、各種移動経路（１０）において請求項１から請求項６のうちいずれかの請求項の発明の効果を発揮させることができる。
【発明の効果】
【００１２】
本発明は、電光表示装置において視覚効果を高めることができる。
【発明を実施するための最良の形態】
【００１３】
以下、本発明の一実施形態にかかる電光表示装置について図面を参照して説明する。
図１，２に示すように、この電光表示装置の表示部１においては、複数の表示ライト２（発光ダイオードなどの発光素子を利用したもの）が縦横に並設されて透明カバー３で覆われ、この各表示ライト２の投光面２ａを互いに結ぶ想定面Ｐに沿う表示画面４が設けられている。この表示画面４は、外周に周縁部４ａを有し、平坦状に設けられている。この表示画面４は若干の曲面になっていてもよい。この各表示ライト２にはそれぞれ表示駆動部５が接続されている。この各表示駆動部５は、制御部６からの駆動制御信号に基づき、この各表示ライト２を点滅させる。この各表示ライト２のうち点灯する表示ライト２により、前記表示画面４には下記＊に示す各種の表示形態７が電光表示される。
【００１４】
＊  図３、図４及び図５（ａ）に示す第１の表示形態７
図４では、縦横の各表示ライト２を正方形の升目で表すことにより、表示画面４に順次
電光表示される各表示形態７の変化を表現した。図３では、図４を参考にして、表示画面４に順次電光表示される各表示形態７を実際に見た状態にできるだけ近付けるように図示したが、各表示形態７で外周縁の角張った形状は各升目の角部分の形状であり、実際は滑らかにつながった外周縁の形状として見ることができる。
【００１５】
図４及び図５（ａ）において、各表示形態７は、互いに離間する移動始点８と移動終点９とを結ぶ直線状の移動経路１０に沿う方向Ｘで、その移動始点８側から移動終点９側へ向けて次第に接近するように順次移動する。移動始点８上にある最遠表示形態７Ｆ（表示画面４に直交する奥行き方向Ｚで最も遠くに見える表示形態７）と移動終点９上にある最遠表示形態７Ｆとの間の略中央位置で両最近表示形態７Ｎ（表示画面４に直交する奥行き方向Ｚで最も近くに見える表示形態７）が表示される。
【００１６】
移動始点８上の最遠表示形態７Ｆと一方の最近表示形態７Ｎとの間では、移動経路１０上の移動方向Ｘで先行する表示形態７とその先行表示形態７の次に続く後続表示形態７とを互いに重ねた場合、実線で示す後続表示形態７の内側に破線で示す先行表示形態７の全部が含まれる。また、各表示形態７において移動経路１０に沿う方向Ｘの寸法、すなわち、移動経路１０に対し直交するとともに表示形態７に交差する各鉛直想定線Ｑのうち最大間隔を有する両鉛直想定線Ｑ間の幅ＷＸと、移動経路１０に対し直交する方向Ｙの寸法、すなわち、移動経路１０に対し平行であるとともに表示形態７に交差する各水平想定線Ｒのうち最大間隔を有する両水平想定線Ｒ間の幅ＷＹとを共に変更して形状及び面積を変更する。
【００１７】
一方の最近表示形態７Ｎ（先行表示形態７）と他方の最近表示形態７Ｎ（後続表示形態７）との間では、それらの一部が互いに交差し、前記鉛直想定線Ｑを中心とする線対称形状になっている。
【００１８】
他方の最近表示形態７Ｎと移動終点９上の最遠表示形態７Ｆとの間では、破線で示す先行表示形態７の内側に実線で示す後続表示形態７の全部が含まれ、また、前記各表示形態７において前記幅ＷＸと前記幅ＷＹとを共に変更して形状及び面積を変更する。
【００１９】
従って、図３の各表示画面４を連続させて見ると、各表示形態７は、移動始点８から移動終点９へ順次移動する際に、遠い位置から近い位置へ次第に接近した後に、近い位置から遠い位置へ次第に離間するように見えるので、奥行き方向Ｚの遠近感が変化する。その動作が繰り返されると、あたかも各表示形態７が平坦な表示画面４上で回転しているように見え、平坦な表示画面４を有する電光表示装置が回転灯として機能する。
【００２０】
＊  図６、図７，８及び図５（ｂ）に示す第２の表示形態７
図６は前記図３に該当し、図７，８は前記図４に該当する。第２の表示形態７について、直線状の移動経路１０であることは、第１の表示形態７における移動経路１０と同様であるが、移動向きが第１の表示形態７と少し異なる。すなわち、移動終点９に対し若干離れる向きへ移動始点８から移動した後に、移動終点９に対し接近する向きへ移動して移動始点８に戻り、その後は移動始点８側から移動終点９側へ向けて次第に接近するように移動して移動終点９に至り、次に移動始点８に対し若干離れる向きへ移動終点９から移動した後に、移動始点８に対し接近する向きへ移動して移動終点９に戻る。移動始点８上にある最遠表示形態７Ｆと移動終点９上にある最遠表示形態７Ｆとの間の略中央位置で最近表示形態７Ｎが表示される。
【００２１】
移動始点８上の最遠表示形態７Ｆと最近表示形態７Ｎとの間では、実線で示す後続表示形態７の内側に破線で示す先行表示形態７の全部が含まれるか、それらの一部が互いに交差し、また、各表示形態７において前記幅ＷＸと前記幅ＷＹとのうち少なくとも一方のものを変更して形状及び面積を変更する。
【００２２】
最近表示形態７Ｎと移動終点９上の最遠表示形態７Ｆとの間では、破線で示す先行表示形態７の内側に実線で示す後続表示形態７の全部が含まれるか、それらの一部が互いに交差し、また、各表示形態７において前記幅ＷＸと前記幅ＷＹとのうち少なくとも一方のものを変更して形状及び面積を変更する。
【００２３】
従って、図６の各表示画面４を連続させて見ると、各表示形態７は、前述した図３の各表示画面４と同様に、奥行き方向Ｚの遠近感が変化し、平坦な表示画面４を有する電光表示装置が回転灯として機能する。
【００２４】
＊  図９に示す第３の表示形態７
図９は前記図６に該当する。その各表示画面４では、移動始点８上の最遠表示形態７Ｆから略中央位置の最近表示形態７Ｎを経て移動終点９上の最遠表示形態７Ｆに至る。従って、前述した図６の各表示画面４と同様に、奥行き方向Ｚの遠近感が変化し、平坦な表示画面４を有する電光表示装置が回転灯として機能する。
【００２５】
＊  図１０及び図１２（ａ）に示す第４の表示形態７
直線状の移動経路１０において移動始点８と移動終点９とが互いに一致している。その各表示画面４では、移動始点８上の最遠表示形態７Ｆから略中央位置の最近表示形態７Ｎを経て移動始点８に対する最離間位置で最遠表示形態７Ｆに至り、その最遠表示形態７Ｆのまま移動終点９上に至る。
【００２６】
＊  図１１及び図１２（ａ）に示す第５の表示形態７
直線状の移動経路１０において移動始点８と移動終点９とが互いに一致している。その各表示画面４では、移動始点８上の最遠表示形態７Ｆから略中央位置の最近表示形態７Ｎを経て移動始点８に対する最離間位置で最遠表示形態７Ｆに至り、その後は最遠表示形態７Ｆのまま若干の変化を経て移動終点９上に至る。
【００２７】
＊  その他の移動経路１０
移動始点８と移動終点９とが互いに一致する移動経路１０については、図１２（ｂ）に示すように、例えば楕円などの曲線状にしてもよい。図示しないが、その場合も、移動始点８上の最遠表示形態７Ｆが最近表示形態７Ｎを経て移動終点９上の最遠表示形態７Ｆに至る。
【図面の簡単な説明】
【００２８】
【図１】本実施形態にかかる電光表示装置の表示部を概略的に示す正面図である。
【図２】この電光表示装置の電気ブロックを概略的に示す回路図である。
【図３】上記電光表示装置に電光表示された第１の表示形態の変化状態図である。
【図４】（ａ）〜（ｊ）は第１の表示形態の変化を説明するための説明図である。
【図５】（ａ）（ｂ）はそれぞれ各表示形態の移動経路を示す説明図である。
【図６】上記電光表示装置に電光表示された第２の表示形態の変化状態図である。
【図７】（ａ）〜（ｊ）は第２の表示形態の変化を説明するための第一説明図である。
【図８】（ａ）〜（ｊ）は第２の表示形態の変化を説明するための第二説明図である。
【図９】上記電光表示装置に電光表示された第３の表示形態の変化状態図である。
【図１０】同じく第４の表示形態の変化状態図である。
【図１１】同じく第５の表示形態の変化状態図である。
【図１２】（ａ）（ｂ）はそれぞれ各表示形態の移動経路を示す説明図である。
【符号の説明】
【００２９】
１…表示部、２…表示ライト、４…表示画面、４ａ…周縁部、５…表示駆動部、６…制御部、７…表示形態、７Ｆ…最遠表示形態、７Ｎ…最近表示形態、８…移動始点、９…移動終点、１０…移動経路、Ｚ…奥行き方向。
【図１】
2005338503.tif 000003
【図２】
2005338503.tif 000004
【図３】
2005338503.tif 000005
【図４】
2005338503.tif 000006
【図５】
2005338503.tif 000007
【図６】
2005338503.tif 000008
【図７】
2005338503.tif 000009
【図８】
2005338503.tif 000010
【図９】
2005338503.tif 000011
【図１０】
2005338503.tif 000012
【図１１】
2005338503.tif 000013
【図１２】
2005338503.tif 000014